(57)【要約】【課題】スクリーンを覆うカバーのがたつきを抑制することができるスクリーンボックスを提供する。【解決手段】スクリーンボックス２０は、スクリーンが収容可能とされたスクリーンボックスであって、巻き取られたスクリーンの前方に配置された前部カバー３と、前部カバー３と連結され、巻き取られたスクリーンの後方に配置された後部カバー２と、巻き取られたスクリーンの側方に配置され、スクリーンを支持するブラケット４と、巻き取られたスクリーンの側方を覆うようにブラケット４に取り付けられたサイドカバー５と、を備え、サイドカバー５は、前部カバー３及び後部カバー２の位置決めをする位置決め部５６，５７を有することを特徴とする。【選択図】図２
2019023405.tif 000002
【特許請求の範囲】
【請求項１】
スクリーンが収容可能とされたスクリーンボックスであって、
巻き取られた前記スクリーンの前方に配置された前部カバーと、
該前部カバーと連結され、巻き取られた前記スクリーンの後方に配置された後部カバーと、
巻き取られた前記スクリーンの側方に配置され、前記スクリーンを支持するブラケットと、
該ブラケットの側方を覆うように前記ブラケットに取り付けられたサイドカバーと、を備え、
前記サイドカバーは、前記前部カバー及び前記後部カバーの位置決めをする位置決め部を有することを特徴とするスクリーンボックス。
【請求項２】
前記サイドカバーには、前記ブラケット側に向かって突出する係止部が設けられ、
前記ブラケットには、前記係止部を係止する被係止部が形成されている請求項１に記載のスクリーンボックス。
【請求項３】
前記位置決め部は、
前記前部カバーの後面に当接する前部位置決め部と、
前記後部カバーの前面に当接する後部位置決め部と、
前記前部カバーの下面及び前記後部カバーの下面にそれぞれ当接する上部位置決め部と、を有する請求項１または２に記載のスクリーンボックス。
【請求項４】
前記前部カバーと前記後部カバーとは係止され、
前記位置決め部は、前記前部カバーと前記後部カバーとの係止箇所とは異なる箇所に設けられている請求項１から３のいずれか一項に記載のスクリーンボックス。
【請求項５】
請求項１から４のいずれか一項に記載のスクリーンボックスと、
該スクリーンボックス内に収容可能とされたスクリーンと、を備えることを特徴とするスクリーン装置。
【発明の詳細な説明】
【技術分野】
【０００１】
本発明は、スクリーンボックスおよびスクリーン装置に関するものである。
【背景技術】
【０００２】
従来から、ロールスクリーン等は、固定軸に対してスクリーンが巻き取り及び巻き出し可能に設けられている（下記の特許文献１参照）。また、円筒状に巻き取られたスクリーンは、スクリーンボックス内に収容されている場合がある。スクリーンボックスは、スクリーンの前方に配置された前部カバーと、スクリーンの後方に配置された後部カバーとを備え、前部カバーと後部カバーとが係合するように構成されたものが知られている。
【先行技術文献】
【特許文献】
【０００３】
【特許文献１】特開２０１７−４４０４６号公報
【発明の概要】
【発明が解決しようとする課題】
【０００４】
上記のように、前部カバーと後部カバーとが係合された構成では、前部カバーと後部カバーとの間にがたつきが生じてしまうという問題点がある。
【０００５】
そこで、本発明は、上記事情に鑑みてなされたものであり、スクリーンを覆うカバーのがたつきを抑制することができるスクリーンボックスおよびスクリーン装置を提供する。
【課題を解決するための手段】
【０００６】
上記目的を達成するために、本発明は以下の手段を採用している。
すなわち、本発明に係るスクリーンボックスは、スクリーンが収容可能とされたスクリーンボックスであって、巻き取られた前記スクリーンの前方に配置された前部カバーと、該前部カバーと連結され、巻き取られた前記スクリーンの後方に配置された後部カバーと、巻き取られた前記スクリーンの側方に配置され、前記スクリーンを支持するブラケットと、該ブラケットの側方を覆うように前記ブラケットに取り付けられたサイドカバーと、を備え、前記サイドカバーは、前記前部カバー及び前記後部カバーの位置決めをする位置決め部を有することを特徴とする。
【０００７】
このように構成されたスクリーンボックスでは、スクリーンを支持するブラケットを覆うサイドカバーは、ブラケットに取り付けられている。よって、スクリーンの前方に配置された前部カバー及び前部カバーと連結され、スクリーンの後方に配置された後部カバーは、ブラケットに取り付けられたサイドカバーの位置決め部により、位置決めされるため、前部カバーと後部カバーとの間で生じるがたつきが抑制される。
【０００８】
また、本発明に係るスクリーンボックスは、前記サイドカバーには、前記ブラケット側に向かって突出する係止部が設けられ、前記ブラケットには、前記係止部を係止する被係止部が形成されていることが好ましい。
【０００９】
このように構成されたスクリーンボックスでは、サイドカバーに設けられた係止部をブラケットに形成されたい被係止部に係止させれば、サイドカバーはブラケットに取り付けられる。よって、簡易な方法でサイドカバーを設置することができる。さらに、サイドカバーをブラケットに螺子止めして取り付ける場合には、サイドカバーの外面等に螺子が露出するが、本発明ではサイドカバーの取り付けに螺子を使用せず螺子が露出することがないため、外観を向上させることができる。
【００１０】
また、本発明に係るスクリーンボックスでは、前記位置決め部は、前記前部カバーの後面に当接する前部位置決め部と、前記後部カバーの前面に当接する後部位置決め部と、前記前部カバーの下面及び前記後部カバーの下面にそれぞれ当接する上部位置決め部と、を有していてもよい。
【００１１】
このように構成されたスクリーンボックスでは、前部位置決め部により、前部カバーの後方への移動が規制される。後部位置決め部により、後部カバーの前方への移動が規制される。上部位置決め部により、前部カバー及び後部カバーの下方への移動が規制される。よって、ブラケットにより連結された前部カバー及び後部カバーは、前後方向の移動及び下方への移動がより確実に規制される。
【００１２】
また、本発明に係るスクリーンボックスでは、前記前部カバーと前記後部カバーとは係止され、前記位置決め部は、前記前部カバーと前記後部カバーとの係止箇所とは異なる箇所に設けられていてもよい。
【００１３】
このように構成されたスクリーンボックスでは、位置決め部が前部カバーと後部カバーとの係止箇所に設けられている場合には、位置決め部を係止箇所の形状に対応した形状に形成する必要があり、複雑な形状になる。本発明では、位置決め部は前部カバーと後部カバーとの係止箇所とは異なる箇所に設けられているため、位置決め部を簡易な形状とすることができる。
【００１４】
また、本発明に係るスクリーン装置は、上記のいずれか一に記載のスクリーンボックスと、該スクリーンボックス内に収容可能とされたスクリーンと、を備えることを特徴とする。
【００１５】
このように構成されたスクリーン装置では、巻き取られたスクリーンの側方に配置され、スクリーンを支持するブラケットを覆うサイドカバーは、ブラケットに取り付けられている。よって、スクリーンの前方に配置された前部カバー及び前部カバーと連結され、スクリーンの後方に配置された後部カバーは、ブラケットに取り付けられたサイドカバーの位置決め部により、位置決めされるため、前部カバーと後部カバーとの間で生じるがたつきが抑制される。
【発明の効果】
【００１６】
本発明に係るスクリーンボックスおよびスクリーン装置によれば、スクリーンを覆うカバーのがたつきを抑制することができる。
【図面の簡単な説明】
【００１７】
【図１】本発明の第一実施形態に係るスクリーン装置及びスクリーン装置が設けられたサッシを屋外側から見た斜視図である。
【図２】本発明の第一実施形態に係るスクリーンボックスの分解斜視図であり、屋外側から見て左側且つ後側から見た図である。
【図３】本発明の第一実施形態に係るスクリーンボックスの分解斜視図であり、左側且つ前側から見た図である。
【図４】本発明の第一実施形態に係るスクリーンボックスからサイドカバーを取り外した斜視図である。
【図５】本発明の第一実施形態に係るスクリーンボックスのサイドカバーとブラケットとの取付構造を示す斜視図である。
【図６】本発明の第一実施形態に係るスクリーンボックスの縦断面図（図７のＸ−Ｘ線）である。
【図７】図６のＡ−Ａ線断面図である。
【図８】本発明の第二実施形態に係るスクリーンボックスの分解斜視図であり、左側且つ後側から見た図である。
【図９】本発明の第二実施形態に係るスクリーンボックスの分解斜視図であり、左側且つ前側から見た図である。
【図１０】本発明の第二実施形態に係るスクリーンボックスのサイドカバーとブラケットとの取付構造を示す斜視図である。
【図１１】図１０のＢ−Ｂ線断面図である。
【図１２】本発明の第三実施形態に係るスクリーンボックスの分解斜視図であり、左側且つ後側から見た図である。
【図１３】本発明の第三実施形態に係るスクリーンボックスの分解斜視図であり、左側且つ前側から見た図である。
【図１４】本発明の第三実施形態に係るスクリーンボックスのサイドカバーとブラケットとの取付構造を示す斜視図である。
【図１５】図１４のＣ−Ｃ線断面図である。
【発明を実施するための形態】
【００１８】
（第一実施形態）
以下、本発明の第一実施形態に係るスクリーン装置について、図１から図７に基づいて説明する。
図１は、本発明の一実施形態に係るスクリーン装置及びスクリーン装置が設けられたサッシを屋外側から見た斜視図である。
図１に示すように、スクリーン装置１００は、建築物の開口部に取り付けられたサッシ１の屋外側に設置されている。
スクリーン装置１００は、シート状のスクリーン１１と、スクリーン１１の両側部を支持可能なレール１２と、スクリーン１１の下端部に設けられたボトムバー１３と、ボトムバー１３を着脱自在に支持可能な下枠１４と、スクリーン１１を巻き取る不図示の巻き取り機構と、巻き取り機構及び巻き取られたスクリーン１１を収容可能なスクリーンボックス２０と、を備えている。スクリーン装置１００は、ボトムバー１３が下方に引っ張られると、スクリーン１１が巻き取り機構から巻き出され、ボトムバー１３が下枠１４に到達すると、不図示のロック機構で、ボトムバー１３が下枠１４に支持固定されるものである。また、ロック機構が外されると、スクリーン１１が巻き取り機構に巻き取られ、スクリーンボックス２０内に収容される。
なお、以下の説明において、スクリーン装置１００を屋外側から見て、左側を左側と、右側を右側と称し、これらを結ぶ方向を左右方向と称することがある。また、スクリーン装置１００の屋外側を前側、屋内側と後側と称し、これらを結ぶ方向を前後方向と称することがある。
【００１９】
図２は、スクリーンボックス２０の分解斜視図であり、屋外側から見て左側且つ後側から見た図である。図３は、スクリーンボックス２０の分解斜視図であり、左側且つ前側から見た図である。
図２及び図３に示すように、スクリーンボックス２０は、バックカバー（後部カバー）２と、フロントカバー（前部カバー）３と、ブラケット４と、サイドキャップ（サイドカバー）５と、を備えている。
【００２０】
バックカバー２は、スクリーンボックス２０の左右方向に延び、巻き取り機構及び巻き取られたスクリーン１１（図１参照。以下同じ。）の後部を覆っている。バックカバー２は、サッシ１の屋外側の面に沿って配置される後面部２１と、後面部２１の上端部から前方に向かって折曲された後上面部２２と、を有している。バックカバー２は、前後方向に沿う鉛直断面が下向きＬ字状をなしている。
【００２１】
後面部２１の下端部には、前方に向かって突出する下壁部２３及び下壁部２３の前端部から上方に延びる前壁部２４と、を有している。後面部２１、下壁部２３及び前壁部２４により、左右方向に延びる溝部２３ｓが形成されている。溝部２３には、後述するブラケット４の一部が載置されている。
【００２２】
後面部２１には、ブラケット４を取り付けるための取付孔２１ｈが上下方向に離間して２箇所形成されている。
【００２３】
後上面部２２の前端部には、前方に延びる支持壁部２６及び係止爪部２７が設けられている。係止爪部２７は、支持壁部２６よりも上方に設けられている。係止爪部２７は、前端部から後方に向かうにしたがって、上下方向の肉厚が厚く形成されている。
【００２４】
図４は、スクリーンボックス２０からサイドキャップ５を取り外した斜視図である。
図４に示すように、支持壁部２６は、係止爪部２７よりも前方に延びている。前方に張り出した部分には、後述するフロントカバー３の上向き部３６が当接可能とされている。
【００２５】
支持壁部２６と係止爪部２７との間には、上向き部３６が挿入される隙間２６ｓが形成されている。隙間２６ｓは、後方に向かうにしたがって上方に傾斜するように形成されている。
【００２６】
図２及び図３に示すように、フロントカバー３は、スクリーンボックス２０の左右方向に延び、巻き取り機構及び巻き取られたスクリーン１１の前部を覆っている。フロントカバー３は、サッシ１のバックカバー２の後面部２１と対向配置された前面部３１と、前面部３１の上端部から後方に向かって折曲された前上面部３２と、前面部３１の下端部から後方に向かって折曲された下面部３３と、を有している。
【００２７】
図４に示すように、前上面部３２の後端部には、後方に向かうにしたがって次第に上方に傾斜する上向き部３６が設けられている。前上面部３２の後部は、バックカバー２の支持壁部２６の上面に沿って配置されている。
【００２８】
上向き部３６の後端部には、上方に突出する係止爪部３７が設けられている。上向き部３６の係止爪部３７は、バックカバー２の係止爪部２７に係止されている。下面部３３には、ブラケット４を取り付けるための取付孔３３ｈが形成されている。
【００２９】
図２及び図３に示すように、ブラケット４は、バックカバー２及びフロントカバー３の左右両端部にそれぞれ設けられている。
【００３０】
各ブラケット４は、板状をなし、略矩形状に形成され、板厚方向を左右方向に向けて配置された板状部４１を有している。板状部４１の後部且つ下部には、矩形状をなす切欠き部４９が形成されている。
【００３１】
板状部４１の後端部には、左右方向の内側に向けて折曲された第一取付壁部４２が設けられている。板状部４１の下端部には、左右方向の内側に向けて折曲された第二取付壁部４３が設けられている。第一取付壁部４２の下端部は、バックカバー２の溝部２３ｓ内に配置され、下壁部２３に支持されている（図４参照）。
【００３２】
板状部４１には、不図示の巻き取り機構が取り付けられる取付孔４１ｈが複数形成されている。板状部４１には、後述するサイドキャップ５の係止突起５２，５３，５４が係止される係止孔（被係止部）４６，４７，４８が形成されている。係止孔４６，４７は、板状部４１の上部に前後方向に離間して形成されている。係止孔４６，４７は、上下方向に長い矩形状をなしている。係止孔４８は、板状部４１の下部且つ前部に形成されている。係止孔４８は、前後方向に長い矩形状をなしている。
【００３３】
図２から図４に示すように、第一取付壁部４２には、取付孔４２ｈが上下方向に離間して２箇所に形成されている。取付孔４２ｈの内周面には、雌ネジが形成されている。
【００３４】
第一取付壁部４２は、バックカバー２の後面部２１の前面に沿って配置されている。バックカバー２の取付孔２１ｈから挿通された螺子２１ｚは、第一取付壁部４２の取付孔４２ｈに螺合されている。
【００３５】
第二取付壁部４３には、取付孔４３ｈが形成されている。取付孔４３ｈの内周面には、雌ネジが形成されている。
【００３６】
第二取付壁部４３は、フロントカバー３の下面部３３の上面に沿って配置されている。フロントカバー３の取付孔３３ｈから挿通された螺子３３ｚは、第二取付壁部４３の取付孔４３ｈに螺合されている。
【００３７】
このようにして、バックカバー２とフロントカバー３とは、ブラケット４を介在させて連結されている。連結されたバックカバー２及びフロントカバー３は、略角筒状をなしている。
【００３８】
図２及び図３に示すように、サイドキャップ５は、巻き取り機構及び巻き取られたスクリーン１１の左右両端部をそれぞれ覆っている。サイドキャップ５は、バックカバー２及びフロントカバー３の左右両端部において、ブラケット４よりも左右方向の外側に設けられている。
【００３９】
サイドキャップ５は、板状をなし、略矩形状に形成され、板厚方向を左右方向に向けて配置されたキャップ本体５１を有している。キャップ本体５１には、ブラケット４の各係止孔４６，４７，４８に対応する位置に係止突起（係止部）５２，５３，５４が設けられている。
【００４０】
図２に示すように、係止突起５２は、ブラケット４の係止孔４６に対応した位置に設けられている。係止突起５２は、サイドキャップ５の内面（ブラケット４に対向する面）５１ｉから立設された基部５２ａと、基部５２ａの先端部から前方に折曲された前向き部５２ｂと、前向き部５２ｂの前端部からブラケット４側に折曲された挿通部５２ｃと、を有している。挿通部５２ｃの後面には、後方に向かって突出した係止爪部５２ｄが設けられている。
【００４１】
係止突起５３は、ブラケット４の係止孔４７に対応した位置に設けられている。係止突起５３は、サイドキャップ５の内面５１ｉから立設された基部５３ａと、基部５３ａの先端部から後方に折曲された後向き部５３ｂと、後向き部５３ｂの後端部からブラケット４側に折曲された挿通部５３ｃと、を有している。挿通部５３ｃの前面には、前方に向かって突出した係止爪部５３ｄが設けられている。
【００４２】
係止突起５４は、ブラケット４の係止孔４８に対応した位置に設けられている。係止突起５４は、サイドキャップ５の内面５１ｉから立設された基部５４ａと、基部５４ａの先端部から下方に折曲された下向き部５４ｂと、下向き部５４ｂの下端部からブラケット４側に折曲された挿通部５４ｃと、を有している。挿通部５４ｃの上面には、上方に向かって突出した係止爪部５４ｄが設けられている。
【００４３】
図５は、サイドキャップ５とブラケット４との取付構造を示す斜視図である。図６は、スクリーンボックス２０の縦断面図である（図７のＸ−Ｘ線）。図７は、図６のＡ−Ａ線断面図である。
図５から図７に示すように、各係止突起５２，５３，５４の挿通部５２ｃ，５３ｃ，５４ｃは、係止孔４６，４７，４８内に挿通されている。各係止突起５２，５３，５４の係止爪部５２ｄ，５３ｄ，５４ｄは、ブラケット４の係止孔４６，４７，４８の外縁に係止されている。これにより、サイドキャップ５の係止突起５２，５３，５４が、ブラケット４の係止孔４６，４７，４８から抜けることがない。
【００４４】
図５に示すように、サイドキャップ５の後部且つ上部の隅部には、第一位置決めライン（位置決め部）５６が設けられている。サイドキャップ５の前部且つ上部の隅部には、第二位置決めライン（位置決め部）５７が設けられている。第一位置決めライン５６及び第二位置決めライン５７は、サイドキャップ５の内面５１ｉを正面視して下向きＬ字状をなしている。
【００４５】
第一位置決めライン５６は、サイドキャップ５の隅部から下方に向かって延びる後部位置決め部５６ａと、後部位置決め部５６ａの上端部から前方に向かって延びる上部位置決め部５６ｂと、を有している。
【００４６】
図６に示すように、第一位置決めライン５６の後部位置決め部５６ａは、バックカバー２の後面部２１の前面に当接配置されている。第一位置決めライン５６の上部位置決め部５６ｂは、バックカバー２の後上面部２２の下面に当接配置されている。これにより、バックカバー２は、サイドキャップ５に対して下方及び前方への移動が規制されている。
【００４７】
図５に示すように、第二位置決めライン５７は、サイドキャップ５の隅部から下方に向かって延びる前部位置決め部５７ａと、前部位置決め部５７ａの上端部から後方に向かって延びる上部位置決め部５７ｂと、を有している。
【００４８】
図６に示すように、第二位置決めライン５７の前部位置決め部５７ａは、フロントカバー３の前面部３１の後面に当接配置されている。第二位置決めライン５７の上部位置決め部５７ｂは、フロントカバー３の前上面部３２の下面に当接配置されている。これにより、フロントカバー３は、サイドキャップ５に対して下方及び後方への移動が規制されている。
【００４９】
つまり、第一位置決めライン５６及び第二位置決めライン５７により、バックカバー２及びフロントカバー３は、前後方向及び下方への移動が規制され、位置決めがされている。
【００５０】
第一位置決めライン５６は、フロントカバー３の上向き部３６とバックカバー２の係止爪部２７との係止箇所よりも後方に配置されている。第二位置決めライン５７は、フロントカバー３の上向き部３６とバックカバー２の係止爪部２７との係止箇所よりも前方に配置されている。つまり、第一位置決めライン５６及び第二位置決めライン５７は、上向き部３６と係止爪部２７との係止箇所よりも位置をずらして配置されている。
【００５１】
次に、上記のスクリーン装置１００をサッシ１に取り付ける取付け方法について説明する。
予め、スクリーン１１の下端部にボトムバー１３を取り付けて、スクリーン１１を巻き取り機構に巻いておく。
サッシ１の屋外に、左右のレール１２、下枠１４及び上枠を含む枠体を設置する。次いで、バックカバー２の左右方向の両端部にブラケット４を配置して、後方から螺子２１ｚでバックカバー２とブラケット４とを連結する。ブラケット４が取り付けられたバックカバー２を、サッシ取付用ブラケット（不図示）等を介して、サッシ１に取り付ける。
【００５２】
次いで、不図示の巻き取り機構を螺子（不図示）でブラケット４の取付孔４１ｈに取り付ける。次いで、バックカバー２の前方にフロントカバー３を配置して、フロントカバー３の上向き部３６をバックカバー２の係止爪部２７に係止させて、下方から螺子３３ｚでフロントカバー３とブラケット４とを仮止めしておくる。
【００５３】
次いで、ブラケット４の左右方向の外側にサイドキャップ５を配置して、サイドキャップ５の係止突起５２，５３，５４をブラケット４の係止孔４６，４７，４８に係止させる。次いで、バックカバー２、フロントカバー３及びサイドキャップ５等の位置を調整して、螺子３３ｚを本締めする。このようにして、スクリーン装置１００がサッシ１に取り付けられる。
【００５４】
あるいは、上記に示す手順の他に、スクリーン装置１００を組み立てた後に、スクリーン装置１００をサッシ１に取り付けてもよい。
【００５５】
このように構成されたスクリーン装置１００では、スクリーン１１を支持するスクリーン１１の側方を覆うサイドキャップ５は、ブラケット４に係止されている。よって、スクリーン１１の前方に配置されたフロントカバー３及びフロントカバー３に連結されスクリーン１１の後方に配置されたバックカバー２は、ブラケット４に係止されたサイドキャップ５の第一位置決めライン５６及び第二位置決めライン５７により、位置決めされるため、フロントカバー３とバックカバー２との間で生じるがたつきが抑制される。
【００５６】
また、サイドキャップ５に設けられた係止突起５２，５３，５４をブラケット４に形成された係止孔４６，４７，４８に係止させれば、サイドキャップ５はブラケット４に取り付けられる。よって、簡易な方法でサイドキャップ５を設置することができる。さらに、サイドキャップをブラケットに螺子止めして取り付ける場合には、サイドキャップの外面等に螺子が露出するが、本発明ではサイドキャップ５の取り付けに螺子を使用せず螺子が露出することがないため、外観を向上させることができる。
【００５７】
また、前部位置決め部５７ａにより、フロントカバー３の後方への移動が規制される。後部位置決め部５６ａにより、バックカバー２の前方への移動が規制される。上部位置決め部５６ｂ，５７ｂにより、フロントカバー３及びバックカバー２の下方への移動が規制される。よって、ブラケット４により連結されたフロントカバー３及びバックカバー２は、前後方向の移動及び下方への移動がより確実に規制される。
【００５８】
また、位置決め部がフロントカバー３とバックカバー２との係止箇所に設けられている場合には、位置決め部を係止箇所の形状に対応した形状に形成する必要があり、複雑な形状になる。本発明では、第一位置決めライン５６及び第二位置決めライン５７はフロントカバー３の上向き部３６とバックカバー２の係止爪部２７との係止箇所から位置がずれた箇所に設けられているため、第一位置決めライン５６及び第二位置決めライン５７を簡易な形状とすることができる。
【００５９】
（第二実施形態）
次に、本発明の第二実施形態に係るスクリーン装置について、主に図８から図１１を用いて説明する。
以下の実施形態おいて、前述した実施形態で用いた部材と同一の部材には同一の符号を付して、その説明を省略する。
図８は、本発明の第二実施形態に係るスクリーンボックスの分解斜視図であり、左側且つ後側から見た図である。図９は、本発明の第二実施形態に係るスクリーンボックスの分解斜視図であり、左側且つ前側から見た図である。図１０は、本発明の第二実施形態に係るスクリーンボックスのサイドカバーとブラケットとの取付構造を示す斜視図である。図１１は、図１０のＢ−Ｂ線断面図である。
【００６０】
図８から図１１に示すように、本実施形態のブラケット１０４では、板状部４１の前端部に、左右方向の外側（サイドキャップ５側）に向けて折曲された第一折曲壁部６１が設けられている。第一折曲壁部６１の左右方向の外側の端部には、前方に向けて折曲された第一係止壁部６２が設けられている。
【００６１】
板状部４１の後部には、上下方向に長い矩形状をなす係止長孔６６が形成されている。係止長孔６６の前端部には、左右方向の外側に向かって折曲された第二折曲壁部６７が設けられている。第二折曲壁部６７の左右方向の外側の端部には、後方に向けて折曲された第二係止壁部６８が設けられている。
【００６２】
本実施形態のサイドキャップ１０５では、キャップ本体５１の内面５１ｉに、内面５１ｉを正面視して、下向きコ字状をなす係止突起体７０が設けられている。
【００６３】
係止突起体７０は、前部突出壁部７１と、上部突出壁部７３と、後部突出壁部７５と、を有している。前部突出壁部７１は、キャップ本体５１の前部から左右方向の内側（ブラケット１０４側）に突出するとともに、上下方向に延びている。上部突出壁部７３は、前部突出壁部７１の上端部に連続し、キャップ本体５１の上部から左右方向の内側に突出するとともに、左右方向に延びている。後部突出壁部７５は、上部突出壁部７３の後端部に連続し、キャップ本体５１の後部から左右方向の内側に突出するとともに、上下方向に延びている。
【００６４】
前部突出壁部７１の左右方向の内側の端部には、後方に向かって折曲された前部折曲壁部７２が設けられている。後部突出壁部７５の左右方向の内側の端部には、前方に向かって折曲された後部折曲壁部７６が設けられている。
【００６５】
前部折曲壁部７２及び後部折曲壁部７６は、キャップ本体５１の内面５１ｉとの間に間隔を有して配置されている。換言すると、前部折曲壁部７２及び後部折曲壁部７６とキャップ本体５１の内面５１ｉとの間には、それぞれ溝部７２ｓ，７６ｓ（図１１参照）が形成されている。
【００６６】
図１０及び図１１に示すように、ブラケット１０４の第一係止壁部６２は、サイドキャップ１０５のキャップ本体５１、前部突出壁部７１及び前部折曲壁部７２により形成される溝部７２ｓ内に配置されている。ブラケット１０４の第二係止壁部６８は、サイドキャップ１０５のキャップ本体５１、後部突出壁部７５及び後部折曲壁部７６により形成される溝部７６ｓ内に配置されている。ブラケット１０４の第一係止壁部６２の上端部及び第二係止壁部６８の上端部は、サイドキャップ１０５の上部突出壁部７３の下端部に当接している。これにより、サイドキャップ１０５は、ブラケット１０４に対して、左右方向及び下方への相対的な移動が規制されている。
【００６７】
図１０に示すように、サイドキャップ１０５の後部且つ上部の隅部には、第一位置決めライン５６が設けられている。サイドキャップ５の前部且つ上部の隅部には、第二位置決めライン５７が設けられている。
【００６８】
第一位置決めライン５６は、サイドキャップ５の隅部から下方に向かって延びる後部位置決め部５６ａと、後部位置決め部５６ａの上端部から前方に向かって延びる上部位置決め部５６ｂと、を有している。
【００６９】
第二位置決めライン５７は、サイドキャップ５の隅部から下方に向かって延びる前部位置決め部５７ａと、前部位置決め部５７ａの上端部から後方に向かって延びる上部位置決め部５７ｂと、を有している。
【００７０】
次に、上記のスクリーン装置１００をサッシ１に取り付ける取付け方法について説明する。
まず、第一実施形態と同様に、バックカバー２の左右方向の両端部にブラケット１０４を連結し、ブラケット１０４が取り付けられたバックカバー２をサッシ１に取り付ける。不図示の巻き取り機構をブラケット１０４に取り付けて、フロントカバー３の上向き部３６をバックカバー２の係止爪部２７に係止させて、フロントカバー３とブラケット１０４とを連結する。
【００７１】
次いで、サイドキャップ１０５を、ブラケット１０４に対して上方から下方に移動させる。この際に、ブラケット１０４の第一係止壁部６２及び第二係止壁部６８が、それぞれサイドキャップ１０５の溝部７２ｓ，７６ｓ内をスライドするようにする。サイドキャップ１０５の下方への移動の際には、第一位置決めライン５６はそれぞれバックカバー２の後上面部２２を乗り越え、第二位置決めライン５７はフロントカバー３の前上面部３２を乗り越える。サイドキャップ１０５の上部突出壁部７３の下端部がブラケット１０４の第一係止壁部６２の上端部及び第二係止壁部６８の上端部に当接して、サイドキャップ１０５の下方への移動が止まる。この状態で、サイドキャップ１０５の第一位置決めライン５６の上部位置決め部５６ｂ及び第二位置決めライン５７の上部位置決め部５７ｂは、バックカバー２の後上面部２２及びフロントカバー３の前上面部３２の下面に当接配置されているため、サイドキャップ１０５が上方へ移動することが規制されている。このようにして、スクリーン装置１００がサッシ１に取り付けられる。
【００７２】
このように構成されたスクリーン装置１００では、スクリーン１１を支持するスクリーン１１の側方を覆うサイドキャップ１０５は、ブラケット１０４に係止されている。よって、スクリーン１１の前方に配置されたフロントカバー３及びフロントカバー３に連結されスクリーン１１の後方に配置されたバックカバー２は、ブラケット１０４に係止されたサイドキャップ１０５の第一位置決めライン５６及び第二位置決めライン５７により、位置決めされるため、フロントカバー３とバックカバー２との間で生じるがたつきが抑制される。
【００７３】
（第三実施形態）
次に、本発明の第三実施形態に係るスクリーン装置について、主に図１２から図１５を用いて説明する。
図１２は、本発明の第三実施形態に係るスクリーンボックスの分解斜視図であり、左側且つ後側から見た図である。図１３は、本発明の第三実施形態に係るスクリーンボックスの分解斜視図であり、左側且つ前側から見た図である。図１４は、本発明の第三実施形態に係るスクリーンボックスのサイドカバーとブラケットとの取付構造を示す斜視図である。図１５は、図１４のＣ−Ｃ線断面図である。
【００７４】
図１２から図１５に示すように、本実施形態のサイドキャップ２０５では、キャップ本体５１の内面５１ｉに、左右方向の内側に向かって突出する上部案内部８１及び下部案内部８２が設けられている。
【００７５】
上部案内部８１は、キャップ本体５１の上部に設けられ、前後方向に延びている。上部案内部８１の下面には、上方に向かって凹む上部溝部８１ｓが形成されている。
【００７６】
下部案内部８２は、キャップ本体５１の下部に設けられ、前後方向に延びている。下部案内部８２の上面には、下方に向かって凹む下部溝部８２ｓが形成されている。
【００７７】
図１４及び図１５に示すように、ブラケット２０４の板状部４１の上端部４１ｕは、サイドキャップ２０５の上部溝部８１ｓ内に配置されている。ブラケット２０４の板状部４１の下端部４１ｂは、サイドキャップ２０５の下部溝部８２ｓ内に配置されている。これにより、サイドキャップ２０５は、ブラケット２０４に対して、左右方向及び上下方向へ移動することが規制されている。
【００７８】
サイドキャップ２０５の内面５１ｉには、後部且つ下部に、左右方向の内側（ブラケット２０４側）に向かって突出する規制突起８４が設けられている。規制突起８４は、ブラケット２０４の第一切欠き部４９の前端部４９ｆに当接している。
【００７９】
ブラケット２０４の板状部４１の第一切欠き部４９の前側には、第一切欠き部４９に連続して第二切欠き部４９ａが形成されている。第二切欠き部４９ａの下端部には、第二取付壁部４３が設けられている。
【００８０】
図１４に示すように、サイドキャップ１０５の後部且つ上部の隅部には、第一位置決めライン５６が設けられている。サイドキャップ５の前部且つ上部の隅部には、第二位置決めライン５７が設けられている。
【００８１】
第一位置決めライン５６は、サイドキャップ５の隅部から下方に向かって延びる後部位置決め部５６ａと、後部位置決め部５６ａの上端部から前方に向かって延びる上部位置決め部５６ｂと、を有している。
【００８２】
第二位置決めライン５７は、サイドキャップ５の隅部から下方に向かって延びる前部位置決め部５７ａと、前部位置決め部５７ａの上端部から後方に向かって延びる上部位置決め部５７ｂと、を有している。
【００８３】
次に、上記のスクリーン装置１００をサッシ１に取り付ける取付け方法について説明する。
第一実施形態で示した他の手順と同様に、スクリーン装置１００を組み立てた後に、スクリーン装置１００をサッシ１に取り付ける。
【００８４】
まず、バックカバー２の左右方向の両端部にブラケット２０４を配置して、後方から螺子２１ｚでバックカバー２とブラケット２０４とを連結する。
【００８５】
次いで、不図示の巻き取り機構をブラケット２０４に取り付けて、バックカバー２の前方にフロントカバー３を配置して、フロントカバー３の上向き部３６をバックカバー２の係止爪部２７に係止させて、下方から螺子３３ｚでフロントカバー３とブラケット２０４とを連結する。
【００８６】
次いで、サイドキャップ２０５を、ブラケット２０４に対して後方から前方に移動させる。この際に、ブラケット２０４の板状部４１の上端部４１ｕ及び下端部４１ｂが、それぞれサイドキャップ２０５の上部溝部８１ｓ内及び下部溝部８２ｓ内をスライドするようにする。サイドキャップ２０５の規制突起８４が、ブラケット２０４の第一切欠き部４９の前端部４９ｆに当接して、サイドキャップ２０５の前方への移動が止まる。次いで、スクリーン装置１００を取り付けるためのブラケット（不図示）等を介して、バックカバー２をサッシ１に取り付ける。このようにして、スクリーン装置１００がサッシ１に取り付けられる。
【００８７】
このように構成されたスクリーン装置１００では、スクリーン１１を支持するスクリーン１１の側方を覆うサイドキャップ２０５は、ブラケット２０４に係止されている。よって、スクリーン１１の前方に配置されたフロントカバー３及びフロントカバー３に連結されスクリーン１１の後方に配置されたバックカバー２は、ブラケット２０４に係止されたサイドキャップ２０５の第一位置決めライン５６及び第二位置決めライン５７により、位置決めされるため、フロントカバー３とバックカバー２との間で生じるがたつきが抑制される。
【００８８】
また、第二取付壁部４３が、第一実施形態よりも上方に設けられているため、サイドキャップ２０５をブラケット２０４に対して後方から前方に移動させる際に、第二取付壁部４３とサイドキャップ２０５の下部案内部８２とが干渉することがない。
【００８９】
なお、上述した実施の形態において示した各構成部材の諸形状や組み合わせ等は一例であって、本発明の主旨から逸脱しない範囲において設計要求等に基づき種々変更可能である。
【００９０】
例えば、上記に示す実施形態では、サイドキャップ５はブラケット４に係止されているが、本発明はこれに限られない。サイドキャップ５がブラケット４に取り付けられる手段は適宜選択可能であり、サイドキャップ５がブラケット４に螺子止めされていてもよい。
【００９１】
また、上記に示す実施形態では、第一位置決めライン５６及び第二位置決めライン５７は、サイドキャップ５の内面５１ｉを正面視して下向きＬ字状をなしているが、本発明はこれに限られない。第一位置決めライン５６のうち後部位置決め部５６ａ及び上部位置決め部５６ｂのいずれか一方のみが設けられ、第二位置決めライン５７のうち前部位置決め部５７ａ及び上部位置決め部５７ｂのいずれか一方のみが設けられていてもよい。
【００９２】
また、上記に示す実施形態では、第一位置決めライン５６及び第二位置決めライン５７は、それぞれ所定の方向に延びる線状をなしているが、本発明はこれに限られない。点状であってもよいし、点状のものが複数設けられていてもよい。
【符号の説明】
【００９３】
１…サッシ
２…バックカバー（後部カバー）
３…フロントカバー（前部カバー）
４，１０４，２０４…ブラケット
５，１０５，２０５…サイドキャップ（サイドカバー）
１１…スクリーン
１２…レール
１３…ボトムバー
１４…下枠
２０…スクリーンボックス
２６…支持壁部
２７…係止爪部
３６…上向き部
４１…板状部
４６，４７，４８…係止孔（被係止部）
５１…キャップ本体
５２，５３，５４…係止突起（係止部）
５２ｃ，５３ｃ，５４ｃ…挿通部
５２ｄ，５３ｄ，５４ｄ…係止爪部
５６…第一位置決めライン（位置決め部）
５６ａ…後部位置決め部
５６ｂ…上部位置決め部
５７…第二位置決めライン（位置決め部）
５７ａ…前部位置決め部
５７ｂ…上部位置決め部
６１…第一折曲壁部
６２…第一係止壁部
６７…第二折曲壁部
６８…第二係止壁部
７０…係止突起体
７１…前部突出壁部
７２…前部折曲壁部
７３…上部突出壁部
７５…後部突出壁部
７６…後部折曲壁部
８１…上部溝
８２…下部溝
８４…規制突起
１００…スクリーン装置
【図１】
2019023405.tif 000003
【図２】
2019023405.tif 000004
【図３】
2019023405.tif 000005
【図４】
2019023405.tif 000006
【図５】
2019023405.tif 000007
【図６】
2019023405.tif 000008
【図７】
2019023405.tif 000009
【図８】
2019023405.tif 000010
【図９】
2019023405.tif 000011
【図１０】
2019023405.tif 000012
【図１１】
2019023405.tif 000013
【図１２】
2019023405.tif 000014
【図１３】
2019023405.tif 000015
【図１４】
2019023405.tif 000016
【図１５】
2019023405.tif 000017